(57)【要約】【課題】パイロット信号を手掛かりとする情報傍受の可能性を低下させる。【解決手段】基地局は、新たに通信を開始する移動局が属するグループを判定する判定部と、請求項判定部によって判定されたグループに割り当てられている第２のパイロット信号を請求項移動局と通信するためのパイロット信号として決定する決定部と、請求項第２のパイロット信号を特定するための情報を、該情報を通知するためのパイロット信号として予めグループ毎に定められている第１のパイロット信号を用いて請求項移動局へ送信する送信部とを備える。【選択図】図８
2011004183.tif 000002
【特許請求の範囲】
【請求項１】
新たに通信を開始する移動局が属するグループを判定する判定部と、
前記判定部によって判定されたグループに割り当てられている第２のパイロット信号を前記移動局と通信するためのパイロット信号として決定する決定部と、
前記第２のパイロット信号を特定するための情報を、該情報を通知するためのパイロット信号として予めグループ毎に定められている第１のパイロット信号を用いて前記移動局へ送信する送信部と
を備えたことを特徴とする基地局。
【請求項２】
前記送信部は、前記決定部によって前記グループに割り当てられている前記第２のパイロット信号が第３のパイロット信号へ変更された場合に、前記第３のパイロット信号を特定するための情報を、前記第２のパイロット信号を用いて前記移動局へ送信することを特徴とする請求項１に記載の基地局。
【請求項３】
前記決定部は、前記グループに割り当てられているパイロット信号を不定期に変更することを特徴とする請求項１または２に記載の基地局。
【請求項４】
受信したデータを第１のパイロット信号に基づいて復調する復調部と、
前記復調部によって復調されたデータからパイロット信号に係る情報を取得する取得部と、
前記取得部によって取得された情報に基づいて、前記復調部が受信したデータを復調するために用いる前記第１のパイロット信号を第２のパイロット信号に変更させるパイロット割り当て部と
を備えたことを特徴とする移動局。
【請求項５】
前記第１のパイロット信号および前記第２のパイロット信号は、移動局が属するグループ毎に系列が異なることを特徴とする請求項４に記載の移動局。
【請求項６】
前記第１のパイロット信号および前記第２のパイロット信号は、移動局が属するグループ毎に位置が異なることを特徴とする請求項４または５に記載の移動局。
【発明の詳細な説明】
【技術分野】
【０００１】
本発明は、基地局および移動局に関する。
【背景技術】
【０００２】
従来、パイロット信号と呼ばれる既知の信号を用いて伝搬路推定等を行い、その結果に基づいて受信データを復調する技術が知られている。また、セル方式の無線通信システムでは、隣接するそれぞれの基地局が送信するパイロット信号が干渉し合って受信データの復調が正常に行われなくなるのを防止するため、基地局毎に異なるパイロット信号を用いる技術も知られている。
【先行技術文献】
【特許文献】
【０００３】
【特許文献１】特開２００７−３００３１６号公報
【発明の概要】
【発明が解決しようとする課題】
【０００４】
しかしながら、上述した従来のセル方式の無線通信システムでは、それぞれのセル単位では共通のパイロット信号が用いられるため、移動局が送受信するデータを同一のセルに在圏する他の移動局が比較的容易に復調できてしまうという問題があった。
【０００５】
機密性の高い情報を無線で送受信する場合、情報漏洩を防止するため、暗号化を行って通信を行うことも考えられる。しかし、暗号化は物理層より上位レイヤで行われ、下位の物理層では、暗号化されたデータを変調し、パイロット信号を挿入して送信する処理が行われる。したがって、パイロット信号そのものは暗号化されないため、暗号化されたデータは、同一セルに在圏する第三者の移動局によって復調可能であり、事後的に解読されるおそれがある。
【０００６】
１つの側面では、パイロット信号を手掛かりとする情報傍受の可能性を低下させる基地局および移動局を提供することを目的とする。
【課題を解決するための手段】
【０００７】
第１の案では、基地局が、新たに通信を開始する移動局が属するグループを判定する判定部と、前記判定部によって判定されたグループに割り当てられている第２のパイロット信号を前記移動局と通信するためのパイロット信号として決定する決定部と、前記第２のパイロット信号を特定するための情報を、該情報を通知するためのパイロット信号として予めグループ毎に定められている第１のパイロット信号を用いて前記移動局へ送信する送信部とを備える。
【０００８】
第２の案では、移動局が、受信したデータを第１のパイロット信号に基づいて復調する復調部と、前記復調部によって復調されたデータからパイロット信号に係る情報を取得する取得部と、前記取得部によって取得された情報に基づいて、前記復調部が受信したデータを復調するために用いる前記第１のパイロット信号を第２のパイロット信号に変更させるパイロット割り当て部とを備える。
【発明の効果】
【０００９】
パイロット信号を手掛かりとする情報傍受の可能性を低下させることができる。
【図面の簡単な説明】
【００１０】
【図１】図１は、本実施例に係る無線ネットワークシステムの一例を示す図である。
【図２】図２は、フレーム構成の一例を示す図である。
【図３】図３は、グループ毎に異なるパイロット信号系列を割り当てる例を示す図である。
【図４】図４は、グループ毎に異なるパイロット割り当て位置を割り当てる例を示す図である。
【図５】図５は、グループ毎に異なるパイロット信号系列とパイロット割り当て位置を割り当てる例を示す図である。
【図６】図６は、本実施例に係る移動局の構成を示すブロック図である。
【図７】図７は、本実施例に係る基地局の構成を示すブロック図である。
【図８】図８は、接続時にパイロット割り当て情報を取得する処理手順を示すシーケンス図である。
【図９】図９は、通信中にパイロット割り当て情報を取得する処理手順を示すシーケンス図である。
【図１０】図１０は、接続時にパイロット割り当て情報を取得する処理手順の他の一例を示すシーケンス図である。
【発明を実施するための形態】
【００１１】
以下に添付図面を参照して、本発明の実施例について説明する。以下の実施例では、通信方式としてＯＦＤＭＡ（Orthogonal  Frequency  Division  Multiplexing  Access）を採用する通信システムを例に挙げて説明するが、本発明の適用対象はこれに限定されない。例えば、本発明は、パイロット信号に基づいて受信信号を復調するＯＦＤＭ（Orthogonal  Frequency  Division  Multiplexing）やＣＤＭＡ（Code  Division  Multiple  Access）などの通信方式を採用する通信システムにも適用することができる。
【実施例】
【００１２】
まず、本実施例に係る無線通信方法が実行される無線通信システムの一例について説明する。図１は、本実施例に係る無線通信方法が実行される無線ネットワークシステムの一例を示す図である。図１に示す無線ネットワークシステムは、基地局１０と、移動局２０ａ〜２０ｇとを含む。なお、以下の説明では、移動局２０ａ〜２０ｇについて、いずれかを特定しない場合に、単に移動局２０と称することがある。
【００１３】
基地局１０は、セル１を形成する通信装置である。なお、基地局１０は、有線または無線によって他の基地局等と通信可能に構成されていてもよい。移動局２０ａ〜２０ｇは、基地局１０との間の無線通信を介して、他の装置と通信を行う装置である。
【００１４】
ここで、移動局２０ａ〜２０ｄは、グループＡに属する移動局であり、グループＡに属する移動局間で通信を行うものとする。また、移動局２０ｅ〜２０ｇは、グループＢに属する移動局であり、グループＢに属する移動局間で通信を行うものとする。グループＡは、例えば、消防署が消防署員に配布した移動局２０のグループであり、グループＢは、警察署が警察官に配布した移動局２０のグループである。
【００１５】
移動局２０ａ〜２０ｇと基地局１０との間の無線通信でやり取りされるフレーム２の構成の一例を図２に示す。図２に示すように、フレーム２には、グループＡ用領域２ａと、グループＢ用領域２ｂと、共通領域２ｃとが含まれる。
【００１６】
グループＡ用領域２ａは、グループＡに属する移動局２０間でやり取りされる情報が格納される領域である。グループＢ用領域２ｂは、グループＢに属する移動局２０間でやり取りされる情報が格納される領域である。共通領域２ｃは、全てのグループに共通で利用される領域であり、例えば、後続するグループＡ用領域２ａとグループＢ用領域２ｂの境界を示す境界情報などを含む。
【００１７】
グループＡ用領域２ａには、グループＡに属する移動局２０がグループＡ用領域２ａに含まれているデータを復調するためのパイロット信号が含まれる。また、グループＢ用領域２ｂには、グループＢに属する移動局２０がグループＢ用領域２ｂに含まれているデータを復調するためのパイロット信号が含まれる。そして、グループＡ用領域２ａとグループＢ用領域２ｂには、他のグループに属する移動局２０がデータを容易に復調できないように、それぞれ異なるパイロット信号が含められる。
【００１８】
パイロット信号がグループ毎に異なるようにするには、パイロット系列をグループ毎に変えることとしてもよいし、パイロット位置をグループ毎に変えることとしてもよい。また、パイロット系列とパイロット位置の両方をグループ毎に変えることとしてもよい。
【００１９】
グループ毎に異なるパイロット系列を割り当てる場合のフレーム構成の一例を図３に示す。図３ではパイロット信号を「１」と「０」で表現するが、グループＡ用のパイロット系列の各信号は、グループＡ用領域２ａ内に散在し、グループＢ用のパイロット系列の各信号は、グループＢ用領域２ｂ内に散在する。そして、パイロット系列の各信号が存在する位置はグループ間で共通しているが、パイロット系列の信号、すなわち、図３の「１」「０」の出現パターンが相違している。
【００２０】
このように、グループ毎に異なるパイロット系列を割り当て、各移動局が自分の属するグループに割り当てられたパイロット系列のみを知るようにすれば、周波数帯等のリソースを各グループで共有していても、他のグループのデータを復調することが困難になる。
【００２１】
グループ毎に異なるパイロット位置を割り当てる場合のフレーム構成の一例を図４に示す。図４に示す例では、各グループに割り当てられているパイロット系列は、共通であるが、パイロット信号の位置がグループ毎に異なっている。なお、通信方式がＯＦＤＭＡやＯＦＤＭの場合、時間方向にパイロット信号の位置を変化させてもよいし、周波数方向にパイロット信号の位置を変化させてもよい。また、通信方式がＯＦＤＭＡ、ＯＦＤＭ以外の場合は、通信方式に合わせてパイロット信号の位置を変化させればよい。
【００２２】
このように、グループ毎に異なるパイロット位置を割り当て、各移動局が自分の属するグループに割り当てられたパイロット位置のみを知るようにすれば、周波数帯等のリソースを各グループで共有していても、他のグループのデータを復調することが困難になる。
【００２３】
グループ毎に異なるパイロット系列とパイロット位置を割り当てる場合のフレーム構成の一例を図５に示す。図５に示す例では、各グループに割り当てられているパイロット系列とパイロット位置の両方がグループ毎に異なっている。
【００２４】
このように、グループ毎に異なるパイロット系列とパイロット位置を割り当てることにより、あるグループに割り当てられているパイロット信号から他のグループに割り当てら得ているパイロット信号を推定することが困難になる。その結果、グループ毎にパイロット系列とパイロット位置の一方のみが異なるように割り当てた場合と比較して、他のグループのデータを復調することがさらに困難になる。
【００２５】
なお、図３〜５では、２つのグループに異なるパイロット信号を割り当てる例を示したが、３つ以上のグループがフレームを共有することとし、それぞれのグループに異なるパイロット信号を割り当てることとしてもよい。また、移動局毎に異なるパイロット信号を割り当てることとしてもよい。
【００２６】
また、図２に示したフレームの領域分割は一例であり、各グループ用の領域と共通領域をどのように設けても構わない。
【００２７】
次に、図１に示した基地局１０および移動局２０ａ〜２０ｇの構成について説明する。なお、移動局２０ａ〜２０ｇはいずれも同様の構成を有するため、移動局２０ａ〜２０ｇについては、移動局２０ａを例にして構成について説明することとする。
【００２８】
図６は、移動局２０ａの構成を示す機能ブロック図である。図６に示すように、移動局２０ａは、受信部２０１と、復調部２０２と、データ取得部２０３と、データ処理部２０４と、フレーム作成部２０５と、送信部２０６と、記憶部２０７と、パイロット割り当て部２１０とを有する。
【００２９】
受信部２０１は、図２に示したような構成のフレーム等を受信する。復調部２０２は、受信部２０１によって受信されたフレームに含まれる受信データを復調する。復調部２０２は、受信データを正しく復調するために、パイロット割り当て部２１０から通知されたパイロット情報に基づいて、移動局２０ａに割り当てられているパイロット信号を特定し、特定したパイロット信号に基づいてデータを復調する。
【００３０】
ここで、パイロット情報とは、移動局２０ａに割り当てられているパイロット信号を特定するための情報である。具体的には、図３に示したように、グループ毎に異なるパイロット系列が割り当てられている場合には、パイロット情報は、移動局２０ａが属するグループに割り当てられているパイロット系列を示す情報を含む。
【００３１】
また、図４に示したように、グループ毎に異なるパイロット位置が割り当てられている場合には、パイロット情報は、移動局２０ａが属するグループに割り当てられているパイロット位置を示す情報を含む。また、図５に示したように、グループ毎に異なるパイロット系列とパイロット位置が割り当てられている場合には、パイロット情報は、移動局２０ａが属するグループに割り当てられているパイロット系列とパイロット位置を示す情報を含む。
【００３２】
データ取得部２０３は、復調部２０２によって復調された受信データを復号する等して移動局２０ａ宛のデータを取得する。データ取得部２０３によって取得されるデータには、基地局１０が移動局２０ａに割り当てたパイロット信号を特定するためのパイロット割り当て情報が含まれる。パイロット割り当て情報とは、記憶部２０７が記憶するパイロット情報２０９のうち、どのパイロット情報に基づいて移動局２０ａに割り当てたパイロット信号を特定すればよいかを示す情報であり、例えば、パイロット情報の識別番号である。
【００３３】
データ処理部２０４は、データ取得部２０３によって取得されたデータを用いて所定の処理を実行する。ここでいう所定の処理とは、例えば、移動局２０ａが携帯電話端末であれば通話処理等であり、移動局２０ａが情報処理端末であれば電子メールやＷＥＢページの表示等である。また、データ処理部２０４は、所定の処理の結果等によってデータを送信することが必要になった場合は、送信対象のデータである送信データをフレーム作成部２０５に出力する。
【００３４】
フレーム作成部２０５は、データ処理部２０４から入力された送信データに符号化や変調等の処理を施して送信用のフレームを作成する。また、フレーム作成部２０５は、パイロット割り当て部２１０から通知されたパイロット情報に基づいて、移動局２０ａに割り当てられているパイロット信号を特定し、特定したパイロット信号をフレームに挿入する。
【００３５】
送信部２０６は、フレーム作成部２０５によって作成されたフレームを基地局１０へ送信する。
【００３６】
記憶部２０７は、各種情報を記憶する記憶装置であり、初期パイロット情報２０８と、パイロット情報２０９とを記憶する。初期パイロット情報２０８は、移動局２０ａの接続開始後に基地局１０から送信されるパイロット割り当て情報を受信するために用いられる既知のパイロット情報である。パイロット情報２０９は、移動局２０ａが属するグループに割り当てられる可能性がある各パイロット信号を特定するためのパイロット情報の集合である。なお、初期パイロット情報２０８とパイロット情報２０９の内容は、グループ毎に共通の内容となる。
【００３７】
パイロット割り当て部２１０は、データ取得部２０３から取得されたパイロット割り当て情報に基づいて、移動局２０ａに割り当てられているパイロット信号を特定するためのパイロット情報をパイロット情報２０９から選択する。そして、パイロット割り当て部２１０は、選択したパイロット情報を復調部２０２とフレーム作成部２０５へ通知する。
【００３８】
具体的には、パイロット割り当て部２１０は、移動局２０ａが基地局１０と通信を開始する際に、初期パイロット情報２０８を復調部２０２に通知し、初期パイロット情報２０８によって特定されるパイロット信号に基づいて受信データを復調させる。
【００３９】
後述するように、基地局１０は、移動局２０からの接続要求を許可した場合、その移動局２０が属するグループに対して現在割り当てられているパイロット信号を通知するためにパイロット割り当て情報を移動局２０へ送信する。その際、移動局２０はグループに割り当てられているパイロット信号を知らないため、基地局１０は、移動局２０がパイロット割り当て情報を正常に受信できるように、グループ毎に予め決められている割り当て通知用のパイロット信号をフレームに挿入する。初期パイロット情報２０８は、グループ毎に予め決められている割り当て通知用のパイロット信号を特定するためのものである。
【００４０】
そして、パイロット割り当て部２１０は、データ取得部２０３においてパイロット割り当て情報が取得されると、そのパイロット割り当て情報に対応するパイロット情報をパイロット情報２０９から選択する。そして、パイロット割り当て部２１０は、選択したパイロット情報を復調部２０２とフレーム作成部２０５に通知する。
【００４１】
図７は、基地局１０の構成を示す機能ブロック図である。図７に示すように、基地局１０は、受信部１０１と、接続要求処理部１０２と、端末判定部１０３と、復調部１０４と、データ取得部１０５と、グループＡ用データ処理部１０６ａと、グループＢ用データ処理部１０６ｂと、パイロット挿入部１０７ａ〜１０７ｃと、フレーム作成部１０８と、送信部１０９と、記憶部１１０と、パイロット割り当て決定部１１４と、パイロット割り当て情報作成部１１５とを有する。
【００４２】
受信部１０１は、図２に示したような構成のフレームや接続要求等を受信する。接続要求処理部１０２は、受信部１０１において移動局２０からの接続要求が受信された場合に、リソースの割り当て状況等に基づいて接続の可否を判断する。そして、接続要求処理部１０２は、接続を許可する場合、フレーム作成部１０８に許可応答をさせる。また、接続要求処理部１０２は、接続を許可する場合、要求元の移動局２０が属するグループを端末判定部１０３に判定させ、そのグループに割り当てられているパイロット信号の通知を行うようにパイロット割り当て決定部１１４に依頼する。
【００４３】
復調部１０４は、受信部１０１によって受信されたフレームに含まれる受信データを復調する。復調部１０４は、受信データを正しく復調するために、パイロット割り当て決定部１１４によって各グループに割り当てられているパイロット信号に基づいてデータを復調する。データ取得部１０５は、復調部１０４によって復調された受信データを復号する等して、移動局２０から送信されたデータを取得する。
【００４４】
グループＡ用データ処理部１０６ａは、データ取得部１０５によって取得されたデータのうち、グループＡ用の領域に格納されていたデータを用いて所定の処理を実行する。また、グループＡ用データ処理部１０６ａは、所定の処理の結果等によってデータを送信することが必要になった場合は、送信対象のデータである送信データをパイロット挿入部１０７ａに出力する。
【００４５】
グループＢ用データ処理部１０６ｂは、データ取得部１０５によって取得されたデータのうち、グループＢ用の領域に格納されていたデータを用いて所定の処理を実行する。また、グループＢ用データ処理部１０６ｂは、所定の処理の結果等によってデータを送信することが必要になった場合は、送信対象のデータである送信データをパイロット挿入部１０７ｂに出力する。
【００４６】
なお、基地局１０は、コアネットワーク等の有線ネットワークを通じて他の通信装置と接続されていてもよい。この場合、グループＡ用データ処理部１０６ａおよびグループＢ用データ処理部１０６ｂは、有線ネットワークを通じて他の通信装置から受信したデータに所定の処理を施して、パイロット挿入部１０７ａまたはパイロット挿入部１０７ｂに出力する。また、グループＡ用データ処理部１０６ａおよびグループＢ用データ処理部１０６ｂは、データ取得部１０５によって取得されたデータを用いて所定の処理を実行し、必要であれば、処理後のデータを有線ネットワークを通じて他の通信装置へ送信する。
【００４７】
パイロット挿入部１０７ａ〜１０７ｃは、入力されたデータにパイロット信号を挿入してフレーム作成部１０８へ出力する。具体的には、パイロット挿入部１０７ａは、パイロット割り当て決定部１１４によってグループＡに割り当てられているパイロット信号を、グループＡ用データ処理部１０６ａから入力されたデータに挿入する。
【００４８】
また、パイロット挿入部１０７ｂは、パイロット割り当て決定部１１４によってグループＢに割り当てられているパイロット信号を、グループＢ用データ処理部１０６ｂから入力されたデータに挿入する。また、パイロット挿入部１０７ｃは、接続要求を許可した移動局２０に対する割り当て通知用としてパイロット割り当て決定部１１４から通知されたパイロット信号を、パイロット割り当て情報作成部１１５から入力されたデータに挿入する。
【００４９】
フレーム作成部１０８は、パイロット挿入部１０７ａ〜１０７ｃから入力されたデータに符号化や変調等の処理を施して送信用のフレームを作成する。送信部１０９は、フレーム作成部１０８によって作成されたフレームを移動局２０ａ〜２０ｇへ送信する。パイロット挿入部１０７ｃから入力されたパイロット割り当て情報は、グループＡに属する移動局２０を対象にしたものであれば、グループＡ用領域２ａに格納され、グループＢに属する移動局２０を対象にしたものであれば、グループＢ用領域２ｂに格納される。
【００５０】
記憶部１１０は、各種情報を記憶する記憶装置であり、端末情報１１１と、初期パイロット情報１１２ａおよび１１２ｂと、パイロット情報１１３ａおよび１１３ｂとを記憶する。端末情報１１１は、移動局２０とグループの対応が格納された情報であり、端末判定部１０３が、移動局２０が属するグループを判定する場合等に参照される。
【００５１】
初期パイロット情報１１２ａは、グループＡに属する移動局２０の接続開始後に、その移動局２０へパイロット割り当て情報を送信するために用いられる既知のパイロット情報であり、グループＡに属する移動局２０の初期パイロット情報２０８と同じものである。初期パイロット情報１１２ｂは、グループＢに属する移動局２０の接続開始後に、その移動局２０へパイロット割り当て情報を送信するために用いられる既知のパイロット情報であり、グループＢに属する移動局２０の初期パイロット情報２０８と同じものである。
【００５２】
パイロット情報１１３ａは、グループＡに割り当てられる可能性がある各パイロット信号を特定するためのパイロット情報の集合であり、グループＡに属する移動局２０のパイロット情報２０９と同じものである。パイロット情報１１３ｂは、グループＢに割り当てられる可能性がある各パイロット信号を特定するためのパイロット情報の集合であり、グループＢに属する移動局２０のパイロット情報２０９と同じものである。
【００５３】
パイロット割り当て決定部１１４は、パイロット情報１１３ａから選択したパイロット情報に基づいてグループＡに割り当てるパイロット信号を決定し、そのパイロット信号をパイロット挿入部１０７ａに通知する。また、パイロット割り当て決定部１１４は、パイロット情報１１３ｂから選択したパイロット情報に基づいてグループＢに割り当てるパイロット信号を決定し、そのパイロット信号をパイロット挿入部１０７ｂに通知する。
【００５４】
また、パイロット割り当て決定部１１４は、接続要求処理部１０２からパイロット信号の通知の依頼を受けると、通知対象のグループに割り当てているパイロット信号を特定する。そして、パイロット割り当て決定部１１４は、そのパイロット信号を通知するためのパイロット割り当て情報を通知対象のグループへ送信するようにパイロット割り当て情報作成部１１５へ依頼する。
【００５５】
そのとき、パイロット割り当て決定部１１４は、新たに接続した移動局２０でもパイロット割り当て情報を正常に受信できるように、その移動局２０が属するグループに応じて、初期パイロット情報１１２ａまたは１１２ｂからパイロット信号を特定する。そして、パイロット割り当て決定部１１４は、パイロット割り当て情報を格納する領域に、特定したパイロット信号を挿入するようにパイロット挿入部１０７ｃに指示する。
【００５６】
パイロット割り当て情報作成部１１５は、パイロット割り当て決定部１１４から指定されたパイロット信号を特定するためのパイロット割り当て情報を作成してパイロット挿入部１０７ｃへ出力する。
【００５７】
このように、基地局１０は、グループに割り当てられているパイロット情報を、それぞれのグループ用の領域に格納して、新たに接続された移動局２０に通知することにより、パイロット信号に関する情報が他のグループに漏洩する危険を低下させている。
【００５８】
次に、基地局１０および移動局２０の操作について説明する。図８は、接続時にパイロット割り当て情報を取得する処理手順を示すシーケンス図である。図８に示すように、移動局（ＭＳ）２０は、電源ＯＮ等が行われると（ステップＳ１０１）、それをトリガとして基地局（ＢＳ）１０へ送信要求を送信する（ステップＳ１０２）。
【００５９】
そして、基地局１０の接続要求処理部１０２で接続の可否が判定され（ステップＳ１０３）、接続許可の判定がされた場合は、基地局１０から移動局２０へ接続許可が応答される（ステップＳ１０４）。また、基地局１０のパイロット割り当て決定部１１４は、端末判定部１０３の判定結果に基づいて移動局２０に割り当てるパイロット信号を決定し（ステップＳ１０５）、パイロット割り当て情報を移動局２０に通知させる（ステップＳ１０６）。
【００６０】
そして、移動局２０のパイロット割り当て部２１０は、送信されたパイロット割り当て情報に対応するパイロット情報をパイロット情報２０９から選択し、選択したパイロット情報を復調部２０２とフレーム作成部２０５に通知する（ステップＳ１０７）。
【００６１】
こうして、新たに接続された移動局２０と基地局１０の間でデータ通信を行うことが可能になる（ステップＳ１０８、Ｓ１０９）。
【００６２】
なお、上述した基地局１０および移動局２０の構成は、要旨を逸脱しない範囲で種々に変更することができる。例えば、上述した例では、移動局２０が新たに通信を開始するときに基地局１０が移動局２０へパイロット信号に関する情報を通知することとしたが、移動局２０が他のセルからハンドオーバしてきたときにも同様の通知を行うこととしてもよい。
【００６３】
また、基地局１０が定期的もしくは不定期に各グループに割り当てるパイロット信号を変更し、通信中の移動局２０へそれぞれの移動局２０が属するグループに割り当てられたパイロット信号に関する情報を通知することとしてもよい。このようにすることにより、他のグループに割り当てられているパイロット信号を推定することがさらに困難になり、送受信されるデータの秘匿性をさらに高めることができる。
【００６４】
なお、秘匿性を高めるには、基地局１０が不定期に各グループに割り当てるパイロット信号を変更するようにすることがより好適である。
【００６５】
基地局１０が各グループに割り当てるパイロット信号を変更する場合の処理手順を図９に示す。図９に示すように、基地局１０のパイロット割り当て決定部１１４は、定期的もしくは不定期にパイロット割り当て変更指示を受ける（ステップＳ２０１）。このパイロット割り当て変更指示は、例えば、基地局１０とネットワーク接続された管理装置や基地局１０内の図示しない計時手段によって発行される。
【００６６】
パイロット割り当て変更指示を受けると、パイロット割り当て決定部１１４は、各グループに割り当てるパイロット信号を変更する（ステップＳ２０２）。そして、パイロット割り当て決定部１１４は、変更後のパイロット信号を通知するためのパイロット割り当て情報を通信中の移動局２０へ送信させる（ステップＳ２０３）。なお、通信中の移動局２０は、自グループの変更前のパイロット信号を知っているため、ここでは、そのパイロット信号を用いてパイロット割り当て情報が送信される。
【００６７】
そして、移動局２０のパイロット割り当て部２１０は、送信されたパイロット割り当て情報に対応するパイロット情報をパイロット情報２０９から選択し、選択したパイロット情報を復調部２０２とフレーム作成部２０５に通知する（ステップＳ２０４）。
【００６８】
こうして、通信中の移動局２０と基地局１０の間で新たに割り当てられたパイロット信号を用いてデータ通信を行うことが可能になる（ステップＳ２０５、Ｓ２０６）。
【００６９】
また、パイロット信号に関する情報を基地局１０から移動局２０へ通知するためにパイロット割り当て情報を送信するのではなく、パイロット情報そのものを送信することとしてもよい。
【００７０】
基地局１０が移動局２０へパイロット情報そのものを送信する場合の処理手順を図１０に示す。図１０に示すように、移動局２０は、電源ＯＮ等が行われると（ステップＳ３０１）、それをトリガとして基地局１０へ送信要求を送信する（ステップＳ３０２）。
【００７１】
そして、基地局１０の接続要求処理部１０２で接続の可否が判定され（ステップＳ３０３）、接続許可の判定がされた場合は、基地局１０から移動局２０へ接続許可が応答される。また、基地局１０のパイロット割り当て決定部１１４は、端末判定部１０３の判定結果に基づいて移動局２０に割り当てるパイロット信号を決定し、決定したパイロット信号に対応するパイロット情報を移動局２０に通知させる（ステップＳ３０４）。
【００７２】
そして、移動局２０のパイロット割り当て部２１０は、送信されたパイロット情報を復調部２０２とフレーム作成部２０５に通知する（ステップＳ３０５）。
【００７３】
こうして、新たに接続された移動局２０と基地局１０の間でデータ通信を行うことが可能になる（ステップＳ３０６、Ｓ３０７）。
【００７４】
このようにパイロット情報そのものを通知することにより、移動局２０にパイロット情報２０９を予め記憶させておく必要がなくなるため、移動局２０の記憶部２０７の記憶容量を削減することができる。また、移動局２０が任意のパイロット信号を割り当てることが可能になるため、送受信されるデータの秘匿性をさらに高めることができる。
【００７５】
以上の各実施例を含む実施形態に関し、さらに以下の付記を開示する。
【００７６】
（付記１）新たに通信を開始する移動局が属するグループを判定する判定部と、
前記判定部によって判定されたグループに割り当てられている第２のパイロット信号を前記移動局と通信するためのパイロット信号として決定する決定部と、
前記第２のパイロット信号を特定するための情報を、該情報を通知するためのパイロット信号として予めグループ毎に定められている第１のパイロット信号を用いて前記移動局へ送信する送信部と
を備えたことを特徴とする基地局。
【００７７】
（付記２）前記送信部は、前記決定部によって前記グループに割り当てられている前記第２のパイロット信号が第３のパイロット信号へ変更された場合に、前記第３のパイロット信号を特定するための情報を、前記第２のパイロット信号を用いて前記移動局へ送信することを特徴とする付記１に記載の基地局。
【００７８】
（付記３）前記決定部は、前記グループに割り当てられているパイロット信号を不定期に変更することを特徴とする付記１または２に記載の基地局。
【００７９】
（付記４）前記送信部は、前記第２のパイロット信号を特定するための情報として、前記移動局に複数記憶されている情報の１つを指定する情報を送信することを特徴とする付記１に記載の基地局。
【００８０】
（付記５）前記送信部は、前記第２のパイロット信号を特定するための情報として、パイロット信号の系列を示す情報を送信することを特徴とする付記１に記載の基地局。
【００８１】
（付記６）前記送信部は、前記第２のパイロット信号を特定するための情報として、パイロット信号の位置を示す情報を送信することを特徴とする付記１または５に記載の基地局。
【００８２】
（付記７）受信したデータを第１のパイロット信号に基づいて復調する復調部と、
前記復調部によって復調されたデータからパイロット信号に係る情報を取得する取得部と、
前記取得部によって取得された情報に基づいて、前記復調部が受信したデータを復調するために用いる前記第１のパイロット信号を第２のパイロット信号に変更させるパイロット割り当て部と
を備えたことを特徴とする移動局。
【００８３】
（付記８）前記第１のパイロット信号および前記第２のパイロット信号は、移動局が属するグループ毎に系列が異なることを特徴とする付記７に記載の移動局。
【００８４】
（付記９）前記第１のパイロット信号および前記第２のパイロット信号は、移動局が属するグループ毎に位置が異なることを特徴とする付記７または８に記載の移動局。
【符号の説明】
【００８５】
１    セル
２    フレーム
２ａ  グループＡ用領域
２ｂ  グループＢ用領域
２ｃ  共通領域
１０    基地局
１０１    受信部
１０２    接続要求処理部
１０３    端末判定部
１０４    復調部
１０５    データ取得部
１０６ａ  グループＡ用データ処理部
１０６ｂ  グループＢ用データ処理部
１０７ａ〜１０７ｃ  パイロット挿入部
１０８    フレーム作成部
１０９    送信部
１１０    記憶部
１１１    端末情報
１１２ａ、１１２ｂ  初期パイロット情報
１１３ａ、１１３ｂ  パイロット情報
１１４    パイロット割り当て決定部
１１５    パイロット割り当て情報作成部
２０ａ〜２０ｇ  移動局
２０１    受信部
２０２    復調部
２０３    データ取得部
２０４    データ処理部
２０５    フレーム作成部
２０６    送信部
２０７    記憶部
２０８    初期パイロット情報
２０９    パイロット情報
２１０    パイロット割り当て部
【図１】
2011004183.tif 000003
【図２】
2011004183.tif 000004
【図３】
2011004183.tif 000005
【図４】
2011004183.tif 000006
【図５】
2011004183.tif 000007
【図６】
2011004183.tif 000008
【図７】
2011004183.tif 000009
【図８】
2011004183.tif 000010
【図９】
2011004183.tif 000011
【図１０】
2011004183.tif 000012